【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
エラー訂正符号データが光学的に読み取り可能なコードイメージとして印刷記録された印刷媒体上の、該コードイメージの品質を検査するためのコードイメージ品質検査装置であって、
上記コードイメージを撮像する撮像手段と、
上記撮像手段で撮像されたコードイメージから上記エラー訂正符号データを復元する復元手段と、
上記復元手段で復元されたエラー訂正符号データについてエラー訂正処理を行う前の当該エラー訂正符号データから、上記撮像されたコードイメージの読み取りエラーを抽出する読み取りエラー抽出手段と、
上記読み取りエラー抽出手段で抽出された読み取りエラーを計数する計数手段と、
上記計数手段で計数された数値を所定の態様にて報知する報知手段と、
を具備することを特徴とするコードイメージ品質検査装置。
【請求項２】
上記読み取りエラー抽出手段は、上記復元手段で復元されたエラー訂正符号データと、印刷記録されるべき理想的なコードイメージに対応するエラー訂正符号データとを比較して、その不一致部分を上記コードイメージ読み取りエラーとして抽出するように構成されたことを特徴とする請求項１に記載のコードイメージ品質検査装置。
【請求項３】
上記読み取りエラー抽出手段は、上記復元手段で復元されたエラー訂正符号データのエラー検出によるエラーを上記コードイメージ読み取りエラーとして抽出するように構成されたことを特徴とする請求項１に記載のコードイメージ品質検査装置。
【請求項４】
上記コードイメージは、エラー訂正符号データ中の各「１」又は「０」の値に対応した所定の反射率又は色を有するドットイメージが２次元に配列されたドットパターンを含むものであることを特徴とする請求項２又は３に記載のコードイメージ品質検査装置。
【請求項５】
上記計数手段が計数した上記コードイメージ読み取りエラーの数値を各検査対象のコードイメージ間で規格化するための規格化手段を更に具備することを特徴とする請求項１に記載のコードイメージ品質検査装置。
【請求項６】
上記計数手段が計数した上記コードイメージ読み取りエラーの数値の、他の品質検査装置との性能差に基づく誤差を補正するための数値補正手段を更に具備することを特徴とする請求項１に記載のコードイメージ品質検査装置。
【請求項７】
上記コードイメージが、データを所定の情報量毎に分割したブロックデータの内容に応じてイメージ化されたデータパターンと、該ブロック毎に割り付けられたアドレスを表すアドレスデータの内容に応じてイメージ化されたアドレスデータパターンとから少なくとも構成されたブロックを、所定のブロック配列フォーマットに従って複数個配列したものであるとき、
上記読み取りエラー抽出手段は、上記撮像手段で撮像されたコードイメージに含まれる上記各ブロックのアドレスと、印刷記録されるべき理想的なコードイメージに含まれる各ブロックのアドレスとを比較してその異なるアドレスを上記コードイメージ読み取りエラーとして抽出するように構成されたことを特徴とする請求項１に記載のコードイメージ品質検査装置。
【請求項８】
上記読み取りエラー抽出手段は、上記読取手段が一のコードイメージ中の同一箇所を複数回撮像したときの当該同一箇所においてコードイメージ読み取りエラーが発生する確率を算出するエラー発生確率算出手段を更に含んでおり、
上記エラー発生確率算出手段で算出された値が所定の閾値を越えた上記箇所を上記コードイメージ読み取りエラーとして抽出するように構成されたことを特徴とする請求項１に記載のコードイメージ品質検査装置。
【請求項９】
エラー訂正符号データが光学的に読み取り可能なコードイメージとして印刷記録された印刷媒体上の、該コードイメージの品質を検査するためのコードイメージ品質検査装置であって、
上記コードイメージを撮像する撮像手段と、
上記撮像手段で撮像されたコードイメージから上記エラー訂正符号データを復元する復元手段と、
上記復元手段で復元されたエラー訂正符号データについてエラー訂正処理を行う前の当該エラー訂正符号データから、上記撮像されたコードイメージの読み取りエラーを抽出する読み取りエラー抽出手段と、
上記読み取りエラー抽出手段で抽出された読み取りエラーの、当該コードイメージ上での位置を検出する読み取りエラー位置検出手段と、
上記読み取りエラー位置検出手段で検出された位置を表示する表示手段と、
を具備することを特徴とするコードイメージ品質検査装置。
【請求項１０】
上記読み取りエラー抽出手段は、上記復元手段で復元されたエラー訂正符号データと、印刷記録されるべき理想的なコードイメージに対応するエラー訂正符号データとを比較して、その不一致部分を上記コードイメージ読み取りエラーとして抽出するように構成されたことを特徴とする請求項９に記載のコードイメージ品質検査装置。
【請求項１１】
上記読み取りエラー抽出手段は、上記復元手段で復元されたエラー訂正符号データのエラー検出によるエラーを上記コードイメージ読み取りエラーとして抽出するように構成されたことを特徴とする請求項９に記載のコードイメージ品質検査装置。
【請求項１２】
上記コードイメージは、エラー訂正符号データ中の各「１」又は「０」の値に対応した所定の反射率又は色を有するドットイメージが２次元に配列されたドットパターンを含むものであることを特徴とする請求項１０又は１１に記載のコードイメージ品質検査装置。
【請求項１３】
情報を含むエラー訂正符号データが光学的に読み取り可能なコードイメージとして印刷記録された印刷媒体から、該コードイメージを光学的に読み取って上記情報を出力するコードイメージ読取装置であって、
上記コードイメージを撮像する撮像手段と、
上記撮像手段で撮像されたコードイメージから上記エラー訂正符号データを復元する復元手段と、
上記復元手段で復元されたエラー訂正符号データのエラー訂正処理を行うエラー訂正処理手段と、
上記エラー訂正処理手段でエラー訂正処理されたデータを上記情報として出力する出力手段と、
上記撮像手段で撮像されたコードイメージの画像データ又は上記復元手段で復元されたエラー訂正符号データを、当該コードイメージ読取装置のコードイメージ読み取りエラーに係る性能を検査する外部の検査機器に出力するためのインターフェース手段と、
を具備することを特徴とするコードイメージ読取装置。
【手続補正２】
【補正対象書類名】明細書
【補正対象項目名】００２５
【補正方法】変更
【補正の内容】
【００２５】
【課題を解決するための手段】
上記の目的を達成するために、請求項１に記載の発明によるコードイメージ品質検査装置は、エラー訂正符号データが光学的に読み取り可能なコードイメージとして印刷記録された印刷媒体上の、該コードイメージの品質を検査するためのコードイメージ品質検査装置であって、
上記コードイメージを撮像する撮像手段と、
上記撮像手段で撮像されたコードイメージから上記エラー訂正符号データを復元する復元手段と、
上記復元手段で復元されたエラー訂正符号データについてエラー訂正処理を行う前の当該エラー訂正符号データから、上記撮像されたコードイメージの読み取りエラーを抽出する読み取りエラー抽出手段と、
上記読み取りエラー抽出手段で抽出された読み取りエラーを計数する計数手段と、
上記計数手段で計数された数値を所定の態様にて報知する報知手段と、
を具備することを特徴とする。
【手続補正３】
【補正対象書類名】明細書
【補正対象項目名】００２８
【補正方法】変更
【補正の内容】
【００２８】
また、請求項９に記載の発明によるコードイメージ品質検査装置は、エラー訂正符号データが光学的に読み取り可能なコードイメージとして印刷記録された印刷媒体上の、該コードイメージの品質を検査するためのコードイメージ品質検査装置であって、
上記コードイメージを撮像する撮像手段と、
上記撮像手段で撮像されたコードイメージから上記エラー訂正符号データを復元する復元手段と、
上記復元手段で復元されたエラー訂正符号データについてエラー訂正処理を行う前の当該エラー訂正符号データから、上記撮像されたコードイメージの読み取りエラーを抽出する読み取りエラー抽出手段と、
上記読み取りエラー抽出手段で抽出された読み取りエラーの、当該コードイメージ上での位置を検出する読み取りエラー位置検出手段と、
上記読み取りエラー位置検出手段で検出された位置を表示する表示手段と、
を具備することを特徴とする。
【手続補正４】
【補正対象書類名】明細書
【補正対象項目名】００３０
【補正方法】変更
【補正の内容】
【００３０】
また、請求項１３に記載の発明によるコードイメージ読取装置は、情報を含むエラー訂正符号データが光学的に読み取り可能なコードイメージとして印刷記録された印刷媒体から、該コードイメージを光学的に読み取って上記情報を出力するコードイメージ読取装置であって、
上記コードイメージを撮像する撮像手段と、
上記撮像手段で撮像されたコードイメージから上記エラー訂正符号データを復元する復元手段と、
上記復元手段で復元されたエラー訂正符号データのエラー訂正処理を行うエラー訂正処理手段と、
上記エラー訂正処理手段でエラー訂正処理されたデータを上記情報として出力する出力手段と、
上記撮像手段で撮像されたコードイメージの画像データ又は上記復元手段で復元されたエラー訂正符号データを、当該コードイメージ読取装置のコードイメージ読み取りエラーに係る性能を検査する外部の検査機器に出力するためのインターフェース手段と、
を具備することを特徴とする。
【手続補正５】
【補正対象書類名】明細書
【補正対象項目名】００３１
【補正方法】変更
【補正の内容】
【００３１】
即ち、請求項１３に記載の発明のコードイメージ読取装置によれば、インターフェース手段にて、上記撮像手段で撮像されたコードイメージの画像データ又は上記復元手段で復元されたエラー訂正符号データを、当該コードイメージ読取装置のコードイメージ読み取りエラーに係る性能を検査する外部の検査機器に出力するようにしているので、当該コードイメージ読取装置の読み取り性能を外部から容易に検査することができるため、所定の読み取り性能を持った読取装置を安定して製造管理することができ、ユーザに対して、走査自由度の高い、安定した走査感を与え得るコードイメージ読取装置を提供することが可能となる。